(57)【要約】【課題】作業綱を屋根等の綱かけ対象に容易にかけることができる作業綱かけ方法及びそれに用いる携帯型作業綱かけ用具等を提供する。【解決手段】錘体３と、該錘体３に連結された糸材４と、該糸材４を引出し巻取り可能に備えたリール５と、前記錘体３を飛ばす飛ばし機構部６とが備えられ、糸材４の連結された錘体３を飛ばし機構部６で飛ばすことと、飛ばした錘体３をリール５への糸材４の巻取りによって引き戻すこと、とができるようになっている携帯型作業綱かけ用具を用い、屋根１２を挟む一方の側から、同屋根１２のもう一方の側に錘体３を飛ばし、該もう一方の側で錘体３又は糸材４に作業綱１５を連結した後、リール５への糸材４の巻取りを行って作業綱１５を前記一方の側に牽引する。【選択図】      図１
2005256506.tif 000002
【特許請求の範囲】
【請求項１】
錘体と、該錘体に連結された糸材と、該糸材を引出し巻取り可能に備えたリールと、前記錘体を飛ばす飛ばし機構部とが備えられ、
糸材の連結された錘体を飛ばし機構部で飛ばすことと、飛ばした錘体をリールへの糸材の巻取りによって引き戻すこと、とができるようになっている携帯型作業綱かけ用具を用い、
作業綱かけ対象を挟む一方の側から、同対象のもう一方の側に錘体を飛ばし、該もう一方の側で錘体又は糸材に作業綱を連結した後、リールへの糸材の巻取りを行って作業綱を前記一方の側に牽引することを特徴とする作業綱かけ方法。
【請求項２】
錘体と、該錘体に連結された糸材と、該糸材を引出し巻取り可能に備えたリールと、前記錘体を飛ばす飛ばし機構部とが備えられ、
糸材の連結された錘体を飛ばし機構部で飛ばすことと、飛ばした錘体をリールへの糸材の巻取りによって引き戻すこと、とができるようになっていることを特徴とする携帯型作業綱かけ用具。
【請求項３】
錘体と、該錘体に連結された糸材と、該糸材を引出し巻取り可能に備えたリールと、前記錘体を飛ばす飛ばし機構部とが備えられ、
糸材の連結された錘体を飛ばし機構部で飛ばすことと、飛ばした錘体をリールへの糸材の巻取りによって引き戻すこと、とができるようになっていることを特徴とする錘体飛ばし具。
【発明の詳細な説明】
【技術分野】
【０００１】
本発明は、作業綱かけ方法及びそれに用いる携帯型作業綱かけ用具並びに錘体飛ばし具に関する。
【背景技術】
【０００２】
例えば、戸建て住宅等の建物において、屋根の補修等を行う場合は、建物の周囲に足場を組むことが行われているが、補修等がわずかであるような場合は、上記のような足場を組まずに、屋根に作業綱をかけて補修等を行うのが一般的である。そして、そのための作業綱のかけ方として、従来より現場サイドで種々の方法が考えられている。
【発明の開示】
【発明が解決しようとする課題】
【０００３】
しかしながら、いずれの方法も、かけ方が厄介であったり、かける作業に危険を伴うなどの問題があった。
【０００４】
本発明は、上記のような問題点に鑑み、作業綱を屋根等の綱かけ対象に容易にかけることができる作業綱かけ方法及びそれに用いる携帯型作業綱かけ用具等を提供することを課題とする。
【課題を解決するための手段】
【０００５】
上記の課題は、錘体と、該錘体に連結された糸材と、該糸材を引出し巻取り可能に備えたリールと、前記錘体を飛ばす飛ばし機構部とが備えられ、
糸材の連結された錘体を飛ばし機構部で飛ばすことと、飛ばした錘体をリールへの糸材の巻取りによって引き戻すこと、とができるようになっている携帯型作業綱かけ用具を用い、
作業綱かけ対象を挟む一方の側から、同対象のもう一方の側に錘体を飛ばし、該もう一方の側で錘体又は糸材に作業綱を連結した後、リールへの糸材の巻取りを行って作業綱を前記一方の側に牽引することを特徴とする作業綱かけ方法によって解決される。
【０００６】
この方法では、糸材を連結した錘体を飛すことで糸材を綱かけ対象にかけ、該糸材又は錘体に作業綱を連結して糸材を牽引していくことで作業綱を綱かけ対象にかけるものであるから、錘体を作業綱に連結して飛ばす場合に比べて、錘体を遠くにしかも向き正確に容易に飛ばすことができ、綱かけ作業を適正かつ容易に遂行することができる。
【０００７】
しかも、上記のような携帯型作業綱かけ用具を用いて綱かけ作業を行うので、作業者が投げる等の飛ばし動作を行わなくても、錘体を、向き正確に遠くに容易に飛ばすことができると共に、飛ばした後の糸材の巻取りも、用具に備えられているリールを用いて容易に行うことができる。また、用具は携帯型であるので、持ち運びが可能で、錘体を飛ばす位置や糸材の巻取りを行う位置の制限もなく、綱かけ作業を簡易に行っていくことができる。
【０００８】
また、上記の課題は、錘体と、該錘体に連結された糸材と、該糸材を引出し巻取り可能に備えたリールと、前記錘体を飛ばす飛ばし機構部とが備えられ、
糸材の連結された錘体を飛ばし機構部で飛ばすことと、飛ばした錘体をリールへの糸材の巻取りによって引き戻すこと、とができるようになっていることを特徴とする携帯型作業綱かけ用具によっても解決される。
【０００９】
更に、本発明は、錘体と、該錘体に連結された糸材と、該糸材を引出し巻取り可能に備えたリールと、前記錘体を飛ばす飛ばし機構部とが備えられ、
糸材の連結された錘体を飛ばし機構部で飛ばすことと、飛ばした錘体をリールへの糸材の巻取りによって引き戻すこと、とができるようになっていることを特徴とする錘体飛ばし具も、その内容とする。
【００１０】
この錘体飛ばし具では、錘体を飛ばし機構部で容易に飛ばすことができると共に、飛ばした後の錘体の引き戻しをリールの巻取り操作によって容易に行うことができ、釣り等をはじめとする各種用途に便利に用いることができる。
【発明の効果】
【００１１】
本発明の作業綱かけ方法及びそれに用いる携帯型作業綱かけ用具は、以上のとおりのものであるから、作業綱を屋根等の綱かけ対象に容易にかけることができる。また、本発明の錘体飛ばし具は、同様、類似、非類似の各種用途に便利に用いることができる。
【発明を実施するための最良の形態】
【００１２】
次に、本発明の実施最良形態を図面に基づいて説明する。
【００１３】
図１に示す実施形態の錘体飛ばし具としての携帯型作業綱かけ用具１は、ハンドガンタイプのもので、銃身２に、錘体３と、該錘体３に連結された糸材４と、該糸材４を引出し巻取り可能に備えたリール５と、前記錘体を飛ばす飛ばし機構部６とが備えられると共に、銃身２の基端部と中間部とに下方に突出する握り部７，８が備えられている。
【００１４】
錘体３は、周囲に傷や損傷を与えない弾力性を備えたものであるのがよく、例えば、テニスボールのようなものが好適に用いられ、糸材４は、例えば釣り糸やタコ紐などの軽量で切れにくい丈夫なものが用いられる。そして、リール５は、銃身２の先端側の下部に備えられており、脇で銃身の基端側を挟むようにして一方の手で基端握り部７を握り、もう一方の手でリール５のレバー５ａを回すことで、糸材４の巻取りを容易に行っていくことができるようになされている。
【００１５】
飛ばし機構部６は、パチンコ式のものからなっていて、銃身２の先端部に、二股状の左右の脚部９，９が上方に突出するように備えられ、両脚部９，９に弾性紐としてのゴムチューブ１０がかけられている。また、銃身２の基端部には、回動アーム１１が枢設され、その一方の側を、銃身２の下方に突出させて基端握り部７を握って指で引き操作を行うことができる引き金部１１ａとし、もう一方の側を、銃身２の上方に突出させてゴムチューブ引っ掛け部１１ｂとし、ゴムチューブ１０は銃身２の基端側に引っ張られてアーム１１の引っ掛け部１１ａに掛けられ、そこに錘体３がセットされている。錘体３に連結されている糸材４は、脚部９，９間を通じてリール５に巻き取られている。なお、図示しないが、アーム１１の引っ掛け部１１ｂが前方に傾倒するのを阻止する安全装置が備えられていることはいうまでもない。
【００１６】
屋根補修等のため、作業綱を、綱かけ対象としての屋根にかける場合は、上記の携帯型作業綱かけ用具１を用いて、例えば次のようにすればよい。即ち、図２（イ）に示すように、屋根１２を挟む一方の側から屋根１２にはしご１３を掛け、はしご１３をのぼって棟部１４を目視できるように上半身を屋根１２の上に出し、そして、用具１を棟部１４よりも上方に向け、引き金１１ａを引く。すると、ゴムチューブ１０の弾性復元力で、図２（ロ）に示すように、用具１から錘体３が糸材４を連れて発射され、放物線を描いて、棟部１４を越え、図２（ハ）に示すように、屋根１２を挟むもう一方の側の地面に落下する。錘体３は用具１の飛ばし機構部６によって飛ばされるので、作業者がはしご１３にのって不安定な姿勢で投球動作をする必要がなく、錘体３を安全に飛ばすことができる。
【００１７】
しかる後、図３（ニ）に示すように、錘体３の落下した側で作業綱１５の一端を錘体３又は糸材４に連結し、図３（ホ）（ヘ）に示すように、はしご１３のある側で、用具１を持ち、糸材４を巻き取っていき、糸材４で作業綱１５を牽引して屋根１２にかけていく。用具１を用いてリール５を巻いていくだけで作業綱１５が屋根１２にかけられていき、作業を楽に行っていくことができる。
【００１８】
こうして屋根１２にかけられた作業綱１５は、図３（ト）に示すように、その両端が、地上に打たれた杭１６，１７に連結されて、屋根上作業に安全のために用いられる。なお、杭１６，１７は綱かけ作業前に地面に打ち込んでおいてもよいし、適時に打ち込みを行えばよい。また、作業綱１５の一端についても、錘体を発射する前に予め一方の杭１６に連結しておいてもよいし、発車後に連結するようにしてもよい。また、錘体の発射は、地上から行うようにしてもよい。
【００１９】
以上に、本発明の実施形態を示したが、本発明はこれに限られるものではなく、発明思想を逸脱しない範囲で各種の変更が可能である。例えば、上記の実施形態では、用具１に備えられる飛ばし機構部６として、パチンコ式のものを用いた場合を示しているが、弓式や、バネ式のものなどが用いられてもよい。また、本発明の錘体飛ばし具は、屋根に限らず、各種対象に対する作業綱な綱かけに用いられてもよいし、作業綱の綱かけに限らず、各種用途に用いられてよい。
【図面の簡単な説明】
【００２０】
【図１】図（イ）は実施形態の帯型作業綱かけ用具の概略構成を示す側面図、図（ロ）は飛ばし機構部の概略平面図である。
【図２】図（イ）〜図（ハ）は、図３（ニ）〜（ト）と共に、屋根への作業綱の綱かけ方法を順次に示す側面図である。
【図３】図（ニ）〜図（ト）は、図２（イ）〜（ハ）と共に、屋根への作業綱の綱かけ方法を順次に示す側面図である。
【符号の説明】
【００２１】
１…作業綱かけ用具（錘体飛ばし具）
３…錘体
４…糸材
５…リール
６…飛ばし機構部
１２…屋根（綱かけ対象）
１５…作業綱
【図１】
2005256506.tif 000003
【図２】
2005256506.tif 000004
【図３】
2005256506.tif 000005